(57)【要約】      （修正有）【課題】構造が安定、取付け及び取り外しが容易、且つ、良好な防水性能を有する導電性ボールを提供する。【解決手段】導電性ボールは、取付ガイド溝１１を有し且つ一体に形成される取付本体１０と、取付本体に係合される導電性載置部材と、取付本体の外側面に貼り付けられる発熱フィルム３０と、取付本体の外側を嵌合する球形外側ケーシング４０とを備え、導電性載置部材は、絶縁載置部材２１と、絶縁載置部材に取付けられ且つ互いに間隔をあけて配置される複数の電気リードアウトピースとを備え、絶縁載置部材は取付本体に係合するように配置され、電気リードアウトピースは、取付ガイド溝に突出するように延び、電気取付接触部材２２２と電気接触部材２２４とを含む電気接触部を備え、発熱フィルムに電気的に接続され、外側シェルの外側面は、プラスチック層で覆われている。【選択図】図２
0003227946.tif 000002
【実用新案登録請求の範囲】
【請求項１】
導電性ボールであって、
取付ガイド溝を有し且つ一体に形成される取付本体と、前記取付本体に係合される導電性載置部材と、前記取付本体の外側面に貼り付けられる発熱フィルムと、前記取付本体の外側を嵌合する球形外側ケーシングとを備え、前記導電性載置部材は、絶縁載置部材と、前記絶縁載置部材に取付けられ且つ互いに間隔をあけて配置される複数の電気リードアウトピースとを備え、前記絶縁載置部材は前記取付本体に係合するように配置され、前記電気リードアウトピースは、前記取付ガイド溝に突出するように延びる電気接触部を備え、前記電気リードアウトピースは、前記発熱フィルムに電気的に接続され、前記外側シェルの外側面は、プラスチック層で覆われている、ことを特徴とする導電性ボール。
【請求項２】
前記絶縁載置部材は、前記取付ガイド溝内に配置され、前記絶縁載置部材の両端部は、前記取付本体にクランプされる、ことを特徴とする請求項１に記載の導電性ボール。
【請求項３】
前記絶縁載置部材は、弧状の取付部と、弧状の取付部の両端部より外側に湾曲するように延びる第１係合部，第２係合部とを備え、前記取付本体には、前記第１係合部が係合するための第１係合相手部と、前記第２係合部が係合するための第２係合相手部とが設けられ、前記第１係合相手部と前記第２係合相手部とは、前記取付ガイド溝に連通され、前記弧状の取付部は、前記取付ガイド溝内に配置され且つ前記取付本体の内壁に密着し、前記第１係合部が前記第１係合相手部に挿入され、前記第２係合部が前記第２係合相手部に係合される、ことを特徴とする請求項１に記載の導電性ボール。
【請求項４】
前記電気リードアウトピースは、互いに電気的に接続される電気接続部材と、電気取付接触部材と、電気取付接続部材と、電気接触部材とを備え、前記電気接続部材が前記第１係合部に内設され、前記電気接続部材の一端の端部が前記第１係合部に突出し、前記電気取付接触部材が前記弧状の取付部の側壁に密着し且つ前記取付ガイド溝に突出し、前記電気取付接続部材が前記弧状の取付部に内設され、前記電気接触部材が前記弧状の取付部の外側に突出し、前記電気取付接触部材と前記電気接触部材とが対向して配置され、前記電気取付接触部材と前記電気接触部材とが前記電気接触部を形成する、ことを特徴とする請求項３に記載の導電性ボール。
【請求項５】
前記電気接触部材は、弧状の接触部と、前記弧状の接触部に電気的に接続され且つ外側に湾曲するように延びる位置決め部とを備え、前記取付本体には、前記取付ガイド溝に連通される位置決め可動溝が設けられ、前記弧状の接触部と前記電気取付接続部材とが電気的に接続され、前記弧状の接触部と前記電気取付接触部材とが対向して配置され、前記位置決め部が前記位置決め可動溝内に配置される、ことを特徴とする請求項４に記載の導電性ボール。
【請求項６】
前記弧状の取付部の外側面が外側に突出して突出部を形成し、前記取付本体には、前記突出部が係合するための第３係合相手部が設けられ、前記第３係合相手部と前記取付ガイド溝とが連通され、前記突出部が前記第３係合相手部に挿入される、ことを特徴とする請求項３に記載の導電性ボール。
【請求項７】
前記取付本体は円球体形状であり、前記第１係合相手部は貫通孔構造であり、前記第２係合相手部は溝構造であり、前記弧状の取付部は、前記取付本体の径方向に沿って外側に向かって延び、且つ前記取付本体の周方向に沿って前記第１係合部を形成し、前記第１係合部の外側面は孤形湾曲面であり、前記第１係合部の外側面と前記取付本体の外側面とは面形状が揃えるように配置され、前記第１係合部は収容空間を囲み、前記取付本体では、前記第１係合相手部に突出するように当接部材が設けられ、前記当接部材は、前記第１係合部の収容空間内に設置され、且つ前記第１係合部の端部と前記当接部材とが当接する、ことを特徴とする請求項３に記載の導電性ボール。
【請求項８】
前記取付本体の頂部に係合される蓋部材をさらに備え、前記取付ガイド溝は、前記取付本体の頂部と底部とを貫通する貫通孔構造であり、前記蓋部材の底部に、前記取付ガイド溝に連通される逃げ溝が設けられ、前記蓋部材の頂部に、前記蓋部材と同軸に配置される突出ロッドが設けられ、前記発熱フィルムに貫通孔が設けられ、前記突出ロッドが前記貫通孔を貫通し、前記蓋部材の外側壁に複数の上側挿入ロッドが設けられ、すべての前記上側挿入ロッドは、前記突出ロッドの中心線に沿って前記蓋部材に円形状に配置され、前記外側シェルは、半球形且つ互いに係合して固定される上部シェルと下部シェルとを備え、前記上部シェルの頂部に貫通嵌合孔が設けられ、前記上部シェルは、前記取付本体の上部を嵌合し、且つ前記蓋部材の突出ロッドが前記貫通嵌合孔に挿入され、前記下部シェルが前記取付本体の下部を嵌合し、前記上部シェルには複数の貫通孔が設けられ、前記上側挿入ロッドは、前記上部シェルの前記貫通孔に挿入される、ことを特徴とする請求項１に記載の導電性ボール。
【請求項９】
前記取付本体の下端部の外側壁に複数の下側挿入ロッドが設けられ、すべての前記下側挿入ロッドが前記取付本体のガイド貫通孔の中心線に沿って前記取付本体に円形状に配置され、前記下部シェルに複数の貫通孔が設けられ、前記下側挿入ロッドが前記下部シェルの前記貫通孔に対応して挿入される、ことを特徴とする請求項８に記載の導電性ボール。
【請求項１０】
前記発熱フィルムは、中央接続部と複数の発熱瓣状部材とを備え、前記発熱瓣状部材の一端は前記中央接続部に接続され、前記発熱瓣状部材の他端は、前記中央接続部を離れるように延びて設けられ、前記貫通孔は前記中央接続部に設けられ、前記発熱瓣状部材が前記発熱中心部の周方向に沿って配置され、隣接する２つの前記発熱瓣状部材が等間隔に配置される、ことを特徴とする請求項８に記載の導電性ボール。
【考案の詳細な説明】
【技術分野】
【０００１】
本考案は、美容電子製品の分野に属し、特に導電性ボールに関する。
【背景技術】
【０００２】
人々の生活水準が向上するにつれて、健康と美容への追求はますます高くなっている。その中でも、多機能美容デバイスは、多くの人々に求められ、好まれているようになった。現在の多機能美容デバイスのほとんどは、温度、電流刺激、マッサージ機能を達成できる。また、現在の多機能美容器具は、固定ハンドルと回転するマッサージヘッドを備えており、使用時にはマッサージヘッドが人体の表面に配置され、マッサージヘッドが回転することによって、筋肉が弛緩し、人間の血液循環が促進される。さらに、マッサージヘッドが連続的または断続的に加熱・冷却され、または微小電流が形成されることによって、人体の表面をマッサージ・刺激して、洗浄および美容の目的を達成することができる。マッサージヘッドは、通常、導電性ベアリングを介してハンドルに取り付けられるが、現在の導電性ベアリングでは、構造簡単により、取り付け及び防水設計は不十分であり、洗浄機能付き美容器具を使用する際、水がマッサージヘッドに流れ込み、マッサージヘッド内部の電気回路が損壊する場合がある。また、多機能付き美容器具に衝撃が加わると、部品がずれたり外れたりしやすく、常な使用に影響を与える。
【０００３】
そのため、上記の欠点を克服するために、安定した構造と良好な防水性能を備えた導電性ボールが必要とされている。
【考案の概要】
【考案が解決しようとする課題】
【０００４】
本考案の目的は、構造安定且つ防水性能を有する導電性ボールを提供することである。
【０００５】
上述した目的を達成するために、本考案は、導電性ボールを提供する。前記導電性ボールは、取付ガイド溝を有し且つ一体に形成される取付本体と、前記取付本体に係合される導電性載置部材と、前記取付本体の外側面に貼り付けられる発熱フィルムと、前記取付本体の外側を嵌合する球形外側ケーシングとを備え、前記導電性載置部材は、絶縁載置部材と、前記絶縁載置部材に取付けられ且つ互いに間隔をあけて配置される複数の電気リードアウトピースとを備え、前記絶縁載置部材は前記取付本体に係合するように配置され、前記電気リードアウトピースは、前記取付ガイド溝に突出するように延びる電気接触部を備え、前記電気リードアウトピースは、前記発熱フィルムに電気的に接続され、前記外側シェルの外側面は、プラスチック層で覆われている。
好ましくは、前記絶縁載置部材は、前記取付ガイド溝内に配置され、前記絶縁載置部材の両端部は、前記取付本体にクランプされる。
【０００６】
好ましくは、前記絶縁載置部材は、弧状の取付部と、弧状の取付部の両端部より外側に湾曲するように延びる第１係合部，第２係合部とを備え、前記取付本体には、前記第１係合部が係合するための第１係合相手部と、前記第２係合部が係合するための第２係合相手部とが設けられ、前記第１係合相手部と前記第２係合相手部とは、前記取付ガイド溝に連通され、前記弧状の取付部は、前記取付ガイド溝内に配置され且つ前記取付本体の内壁に密着し、前記第１係合部が前記第１係合相手部に挿入され、前記第２係合部が前記第２係合相手部に係合される。
【０００７】
好ましくは、前記電気リードアウトピースは、互いに電気的に接続される電気接続部材と、電気取付接触部材と、電気取付接続部材と、電気接触部材とを備え、前記電気接続部材が前記第１係合部に内設され、前記電気接続部材の一端の端部が前記第１係合部に突出し、前記電気取付接触部材が前記弧状の取付部の側壁に密着し且つ前記取付ガイド溝に突出し、前記電気取付接続部材が前記弧状の取付部に内設され、前記電気接触部材が前記弧状の取付部の外側に突出し、前記電気取付接触部材と前記電気接触部材とが対向して配置され、前記電気取付接触部材と前記電気接触部材とが前記電気接触部を形成する。
好ましくは、前記電気接触部材は、弧状の接触部と、前記弧状の接触部に電気的に接続され且つ外側に湾曲するように延びる位置決め部とを備え、前記取付本体には、前記取付ガイド溝に連通される位置決め可動溝が設けられ、前記弧状の接触部と前記電気取付接続部材とが電気的に接続され、前記弧状の接触部と前記電気取付接触部材とが対向して配置され、前記位置決め部が前記位置決め可動溝内に配置される。
好ましくは、前記弧状の取付部の外側面が外側に突出して突出部を形成し、前記取付本体には、前記突出部が係合するための第３係合相手部が設けられ、前記第３係合相手部と前記取付ガイド溝とが連通され、前記突出部が前記第３係合相手部に挿入される。
【０００８】
好ましくは、前記取付本体は円球体形状であり、前記第１係合相手部は貫通孔構造であり、前記第２係合相手部は溝構造であり、前記弧状の取付部は、前記取付本体の径方向に沿って外側に向かって延び、且つ前記取付本体の周方向に沿って前記第１係合部を形成し、前記第１係合部の外側面は孤形湾曲面であり、前記第１係合部の外側面と前記取付本体の外側面とは面形状が揃えるように配置され、前記第１係合部は収容空間を囲み、前記取付本体では、前記第１係合相手部に突出するように当接部材が設けられ、前記当接部材は、前記第１係合部の収容空間内に設置され、且つ前記第１係合部の端部と前記当接部材とが当接する。
【０００９】
好ましくは、前記取付本体の頂部に係合される蓋部材をさらに備え、前記取付ガイド溝は、前記取付本体の頂部と底部とを貫通する貫通孔構造であり、前記蓋部材の底部に、前記取付ガイド溝に連通される逃げ溝が設けられ、前記蓋部材の頂部に、前記蓋部材と同軸に配置される突出ロッドが設けられ、前記発熱フィルムに貫通孔が設けられ、前記突出ロッドが前記貫通孔を貫通し、前記蓋部材の外側壁に複数の上側挿入ロッドが設けられ、すべての前記上側挿入ロッドは、前記突出ロッドの中心線に沿って前記蓋部材に円形状に配置され、前記外側シェルは、半球形且つ互いに係合して固定される上部シェルと下部シェルとを備え、前記上部シェルの頂部に貫通嵌合孔が設けられ、前記上部シェルは、前記取付本体の上部を嵌合し、且つ前記蓋部材の突出ロッドが前記貫通嵌合孔に挿入され、前記下部シェルが前記取付本体の下部を嵌合し、前記上部シェルには複数の貫通孔が設けられ、前記上側挿入ロッドは、前記上部シェルの前記貫通孔に挿入される。
【００１０】
好ましくは、前記取付本体の下端部の外側壁に複数の下側挿入ロッドが設けられ、すべての前記下側挿入ロッドが前記取付本体のガイド貫通孔の中心線に沿って前記取付本体に円形状に配置され、前記下部シェルに複数の貫通孔が設けられ、前記下側挿入ロッドが前記下部シェルの前記貫通孔に対応して挿入される。
【００１１】
好ましくは、前記発熱フィルムは、中央接続部と複数の発熱瓣状部材とを備え、前記発熱瓣状部材の一端は前記中央接続部に接続され、前記発熱瓣状部材の他端は、前記中央接続部を離れるように延びて設けられ、前記貫通孔は前記中央接続部に設けられ、前記発熱瓣状部材が前記発熱中心部の周方向に沿って配置され、隣接する２つの前記発熱瓣状部材が等間隔に配置される。
【００１２】
従来技術と比較して、本考案の導電性ボールは、取付ガイド溝を有し且つ一体に形成される取付本体と、前記取付本体に係合される導電性載置部材と、前記取付本体の外側面に貼り付けられる発熱フィルムと、前記取付本体の外側を嵌合する球形外側ケーシングとを備え、前記導電性載置部材は、絶縁載置部材と、前記絶縁載置部材に取付けられ且つ互いに間隔をあけて配置される複数の電気リードアウトピースとを備え、前記絶縁載置部材は前記取付本体に係合するように配置され、前記電気リードアウトピースは、前記取付ガイド溝に突出するように延びる電気接触部を備え、前記電気リードアウトピースは、前記発熱フィルムに電気的に接続され、前記外側シェルの外側面は、プラスチック層で覆われている。導電性載置部材が取付本体に係合するように設けられ、且つ取付本体と一体構造となり、導電性ボールの取付け及び取り外しは、十分に簡単になり、且つ、導電性ボールの構造はより安定して頑丈になる。また、外側シェルの外側面でプラスチック層が覆われているため、プラスチック層によって、外部液体が導電性ボールに流れ込むのを防止することができ、本考案の導電性ボールは優れた防水性能を有する。
【図面の簡単な説明】
【００１３】
【図１】本考案の導電性ボールの立体構造を示す図である。
【図２】図１のＡ−Ａ線の断面図である。
【図３】図１の導電性ボールの局在部の構造の立体構造を示す図である。
【図４】図３の導電性ボールは、プラスチック層、外側シェル及び発熱フィルムを隠した状態で、蓋部材を取付本体より外した後の立体構造を示す図である。
【図５】図４の導電性載置部材が取付本体からさらに分離された後の立体構造を示す図である。
【図６】図５の取付本体を別の角度から見た時の立体構造を示す図である。
【図７】図５の蓋部材を別の角度から見た時の立体構造を示す図である。
【図８】図５の導電性載置部材を別の角度から見た時の立体構造を示す図である。
【図９】図８のＢ−Ｂ線の断面図である。
【図１０】図８に示された導電性載置部材内の電気リードアウトピースの立体構造を示す図である。
【考案を実施するための形態】
【００１４】
本考案の技術的な内容及び構造特徴をより理解するために、以下、図面及び実施形態を参照しながら詳細に説明する。
【００１５】
図１〜図５に示すように、本考案の導電性ボール１００は、取付ガイド溝１１を有し且つ一体に形成した取付本体１０と、取付本体１０に係合される導電性載置部材２０と、取付本体１０の外側面に貼り付けられる発熱フィルム３０と、取付本体１０の外側を嵌合する球形外側ケーシング４０とを備える。導電性載置部材２０は、絶縁載置部材２１と、絶縁載置部材２１に取付けられ且つ互いに間隔をあけて配置される複数の電気リードアウトピース２２とを備える。絶縁載置部材２１は、取付本体１０に係合するように設置され、電気リードアウトピース２２は、取付ガイド溝１１に突出するように延びる電気接触部２２０を備え、２つの電気リードアウトピース２２は、発熱フィルム３０に電気的に接続され、外側シェル４０の外側面は、プラスチック層５０で覆われている。導電性載置部材２０が取付本体１０に係合され、且つ取付本体１０と一体的な構造であるため、導電性ボール１００の取付け及び取り外しは、非常に簡単になり、且つ導電性ボール１００の構造をより安定で頑丈である。また、外側シェル４０の外側面がプラスチック層５０で覆われているので、プラスチック層５０により、外部の液体が導電性ボール１００内に流入するのを回避できる。したがって、本考案の導電性ボール１００は優れた防水性能を有する。好ましくは、各電気リードアウトピース２２の電気接触部２２０は、導電性軸受（図示せず）の電気リード部材（即ち、触点）と電気的に接続されることができる。当該導電性軸受は、取付ガイド溝１１を貫通して設置され、導電性ボール１００は、導電性軸受で回転することができ、外部回路／信号線を発熱フィルム３０に伝達でき、発熱フィルム３０の動作を起動、停止または制御することができる。例えば、導電性載置部材２０は、４つの電気リードアウトピース２２を備える。ただし、これに限定されない。そのうちの２つの電気リードアウトピース２２は、発熱フィルム３０に電気的に接続され、この２つの電気リードアウトピース２２も加熱回路に接続され、他の２つの電気リードアウトピース２２は、制御回路に電気的に接続され、当該制御回路は発熱フィルム３０の発熱温度を制御する。例えば、発熱フィルム３０は、シート状の発熱フィルム３０であり、発熱フィルム３０は、背面に貼り付けられた両面テープによって取付本体１０の外側面に貼り付けられることで、導電性ボール１００の構造をよりコンパクトにすることができる。ただし、これに限定されない。なお、シート状の発熱フィルム３０の構造は、当業者が周知な構造であり、ここでは詳細を省略する。
【００１６】
図４〜図６、図８及び図９に示すように、絶縁載置部材２１が取付ガイド溝１１に配置され、絶縁載置部材２１の両端部は、取付本体１０にクランプされており、この配置は、取付本体１０の製造及び取付を容易にすることができる。具体的には、絶縁載置部材２１は、弧状の取付部２１１と弧状の取付部２１１の両端部より外側に湾曲するように延びる第１係合部２１２，第２係合部２１３とを備える。取付本体１０は、第１係合部２１２が係合するための第１係合相手部１２と、第２係合部２１３が係合するための第２係合相手部１３とを備え、第１係合相手部１２と第２係合相手部１３とは、取付ガイド溝１１に連通され、弧状の取付部２１１は、取付ガイド溝１１に配置され且つ取付本体１０の内壁に密着する。第１係合部２１２が第１係合相手部１２に挿入され、第２係合部２１３が第２係合相手部１３に係合され、これによって、絶縁載置部材２１を取付本体１０に安定して係合することができる。例えば、導電性ボール１００の構造をよりコンパクトにするために、上述の制御回路の中核部品である温度制御器７０は、絶縁載置部材２１に取付けられ、そのうち、２つの電気リードアウトピース２２は、温度制御器７０に電気的に接続される。ただし、これに限定されない。好ましくは、温度制御器７０は、嵌装の方式により、絶縁載置部材２１の第１係合部２１２に設けられた嵌装孔２１２０に挿入して設けられ、これによって、温度制御器７０を隠し、導電性ボール１００の構造をよりコンパクトにすることができる。導電性載置部材２０を取付本体１０により安定して確実に実装するために、弧状の取付部２１１の外側面より突出するように形成された突出部２１１１が設けられ、取付本体１０には、突出部２１１１が係合するための第３係合相手部１５が設けられ、第３係合相手部１５は取付ガイド溝１１に連通され、突出部２１１１が第３係合相手部１５内に挿入されている。
【００１７】
図４〜図６及び図８〜図１０に示すように、電気リードアウトピース２２は、互いに電気的に接続される電気接続部材２２１と、電気取付接触部材２２２と、電気取付接続部材２２３と、電気接触部材２２４とを備える。電気接続部材２２１は、第１係合部２１２に内設され、且つ電気接続部材２２１の一端の端部が第１係合部２１２に突出している。電気取付接触部材２２２は、弧状の取付部２１１の側壁に密着し且つ取付ガイド溝１１に突出している。電気取付接続部材２２３は、弧状の取付部２１１に内設され、電気接触部材２２４は、弧状の取付部２１１の外部に突出している。電気取付接触部材２２２と電気接触部材２２４とは、対向して配置され、電気取付接触部材２２２と電気接触部材２２４とが電気接触部２２０を形成しており、電気接触部２２０は、導電性軸受に対して２つの電気的に接続可能な部位を有する。これによって、導電性軸受の電気回路／信号の伝導を効果的かつ迅速に導くことができる。また、電気接続部材２２１、電気取付接続部材２２３が内部に設置されているので、電気リードアウトピース２２を絶縁載置部材２１に安定かつ頑丈に実装することができる。例えば、絶縁載置部材２１は、一体成形されたプラスチック体であるが、これに限定されない。電気リードアウトピース２２は、一体成形された金属板であるが、これに限定されない。好ましくは、電気リードアウトピース２２は、射出成形によって絶縁載置部材２１に取付けられるが、これに限定されない。具体的には、電気接触部材２２４は、弧状の接触部２２４１と、弧状の接触部２２４１に電気的に接続され且つ外側に湾曲するように延びる位置決め部２２４２とを備える。取付本体１０には、取付ガイド溝１１と連通される位置決め可動溝１４が設けられ、弧状の接触部２２４１と電気取付接続部材２２３とが電気的に接続され、弧状の接触部２２４１と電気取付接触部材２２２とは対向して配置され、位置決め部２２４２が位置決め可動溝１４内に設けられる。このような設置によって、電気接触部材２２４の位置決め及び電気接触部材２２４の弾性調整を容易にすることができ、それにより、取付ガイド溝１１への導電性軸受の設置を容易にすることに加え、電気接触部材２２４を導電性軸受の接触点と接触させ続けることができる。
【００１８】
図３〜図９に示すように、取付本体１０は円球体形状であり、第１係合相手部１２は貫通孔構造であり、第２係合相手部１３は溝構造であり、弧状の取付部２１１は、取付本体１０の径方向に沿って外側に向かって延び、且つ取付本体１０の周方向に沿って第１係合部２１２を形成し、第１係合部２１２の外側面は孤形湾曲面であり、第１係合部の２１２外側面と取付本体１０の外側面とは、面形状が揃えるように配置され、第１係合部２１２は収容空間２１２１を囲み、取付本体１０では、第１係合相手部１２に突出するように当接部材１６が設けられ、当接部材１６は、第１係合部２１２の収容空間２１２１内に設置され、且つ第１係合部２１２の端部と当接部材１６とは当接する。この時、第１係合部２１２はＬ形状であり、第１係合部２１２が取付本体１０の径方向及び周方向に沿って移動することを制限することができる。絶縁載置部材２１は取付本体１０に安定して係合されることができ、それによって、導電性ボール１００の安定性を向上させることができる。なお、この時の第１係合部２１２外側面と取付本体１０の外側面とは、面形状が揃えるように配置されており、ここでの面形状の揃いは、第１係合部２１２外側面と取付本体１０の外側面とは球形状の外側面を形成できることを意味する。これによって、表面の完全性を向上させることができる。具体的に、導電性ボール１００は、取付本体１０の頂部に係合する蓋部材６０を備える。取付ガイド溝１１は、取付本体１０の頂部及び底部を貫通する貫通孔構造であり、蓋部材６０の底部に、取付ガイド溝１１に連通する逃げ溝６１が設けられ、蓋部材６０の頂部に、蓋部材６０と同軸に配置される突出ロッド６２が設けられ、発熱フィルム３０には、貫通孔３１１が設けられ、突出ロッド６２は、３１１貫通孔３１１を貫通し、蓋部材６０の外側壁に複数の上側挿入ロッド６３が設けられる。すべての上側挿入ロッド６３は、突出ロッド６２の中心線に沿って蓋部材６０に円形状に配置され、外側シェル４０は、半球形且つ互いに係合して固定される上部シェル４１と下部シェル４２とを備え、上部シェル４１の頂部に貫通嵌合孔４１１が設けられ、上部シェル４１は、取付本体１０の上部を嵌合し、且つ蓋部材６０の突出ロッド６２が貫通嵌合孔４１１に挿入する。下部シェル４２は取付本体１０の下部を嵌合し、上部シェル４１には、複数の貫通孔４１２が設けられ、上側挿入ロッド６３は、上部シェル４１の貫通孔４１２に対応して挿入する。これによって、蓋部材６０と取付本体１０とを取付けた後、完全な円球体を形成することができる。また、蓋部材６０の設置では、導電性ボール１００の内部構造及び構造の安定性を向上させることができる。逃げ溝６１の設置は、導電性軸受との接続を容易にし、且つ上部シェル４１を取付本体１０に安定且つ確実に取り付けることができる。また、上部シェル４１が取付けられた後変位せず、導電性ボール１００の構造安定性を向上させることができる。好ましくは、取付本体１０の頂部に、突出ロッド１７及び／或いは孤形凸部材１８に対向するように、蓋部材６０において、突出ロッド１７、孤形凸部材１８が挿入するための係合溝構造６４が設けられる。これによって、蓋部材６０を取付本体１０に安定して係合する。突出ロッド６２が発熱フィルム３０の貫通孔３１１に挿入されると、取付けられた発熱フィルム３０の変位を防止でき、且つ、発熱フィルム３０の位置決めを容易にして、発熱フィルム３０が取付本体１０の外側面に貼り付けられることを容易にするができる。
【００１９】
図３及び図５に示すように、発熱フィルム３０は、中央接続部材３１と複数の発熱瓣状部材３２とを備え、発熱瓣状部材３２の一端は、中央接続部材３１に接続され、発熱瓣状部材３２の他端は、中央接続部材３１を離れる方向に延びるように配置され、貫通孔３１１が中央接続部材３１に設けられ、発熱瓣状部材３２は、発熱中心部３１に周設され、隣接する２つの発熱瓣状部材３２との間の距離を等間隔に配置される。これによって、動作中の複数の発熱瓣状部材３２は、導電性ボール１００内で完全かつ均一に熱を発生させることができ、導電性ボール１００の実感効果を向上させることができる。下部シェル４２を取付本体１０に安定且つ確実に嵌合させるために、取付本体１０の下端の外側壁に複数の下側挿入ロッド１９が設けられ、すべての下側挿入ロッド１９は、取付本体１０のガイド貫通孔１１の中心線に沿って取付本体１０に円形状のように配置され、下部シェル４２には複数の貫通孔４２１が設けられ、下側挿入ロッド１９は、下部シェル４２の貫通孔４２１に対応して挿入される。
【００２０】
図１〜図１０を参照しながら、本考案の導電性ボール１００の動作原理について説明する。取付時には、導電性載置部材２０をガイド取付貫通孔１１に挿入し、第１係合部２１２を第１係合相手部１２に挿入し、第２係合部２１３を第２係合相手部１３に係合し、突出部２１１１を第３係合相手部１５に挿入し、電気リードアウトピース２２の位置決め部２２４２を位置決め可動溝１４に配置する。これによって、導電性載置部材２０の取付が完了した。電気取付接触部材２２２と電気接触部材２２４の弧状の接触部２２４１とは、ガイド取付貫通孔１１に突出している。つぎに、蓋部材６０を取付本体１０の頂部に係合し、超音波融着技術により、取付本体１０と蓋部材６０とを熔着する。そして、取付本体１０の表面に発熱フィルム３０を貼り付けた後、上部シェル４１及び下部シェル４２を取付本体１０に嵌合し、上側挿入ロッド６３を上部シェル４１の貫通孔４１２に挿入し、下側挿入ロッド１９を下部シェル４２の貫通孔４２１に挿入し、上部シェル４１と下部シェル４２とを超音波融着技術で熔着する。最後に、外側シェル４０の外側面にプラスチック層５０を形成する。使用中、２つの電気リードアウトピース２２は、導電性軸受の両接点と接触して、加熱回路を導入して発熱フィルム３０と接続されることで、発熱フィルム３０が発熱することができる。他の２つの電気リードアウトピース２２は、発熱フィルム３０の発熱フィルム３０の発熱温度を制御するように、制御回路に接続される。動作原理は以上である。
【００２１】
本考案の導電性ボール１００は、従来技術と比較して、取付ガイド溝１１を有し且つ一体に形成された取付本体１０と、取付本体１０に係合される導電性載置部材２０と、取付本体１０の外側面に貼り付けられる発熱フィルム３０と、取付本体１０の外側を嵌合する球形外側ケーシング４０とを備えている。導電性載置部材２０は、絶縁載置部材２１と、絶縁載置部材２１に取り付けられ且つ互いに間隔をあけて設置された複数の電気リードアウトピース２２とを備える。絶縁載置部材２１は、取付本体１０に係合して設けられ、電気リードアウトピース２２は、取付ガイド溝１１に突出する電気接触部２２０を有し、２つの電気リードアウトピース２２は、発熱フィルム３０に電気的に接続され、外側シェル４０の外側面は、プラスチック層５０で覆われている。導電性載置部材２０が取付本体１０に係合され、且つ取付本体１０が一体に形成された構造であるため、導電性ボール１００の取付及び取り外しは十分に簡単となり、且つ、導電性ボール１００の構造がより安定且つ頑丈になる。また、外側シェル４０の外側面にプラスチック層５０が覆われているので、プラスチック層５０によって、外部液体が導電性ボール１００内に流れ込むことを回避することができるため、本考案の導電性ボール１００は良好な防水性能を有する。
【００２２】
以上、本考案の好ましい実施形態を開示しているが、本実用新案登録請求の範囲はこれに限定されるものではない。本実用新案登録請求の範囲に基づいてなされたた同等の変更は、すべて本実用新案登録請求の範囲に含まれているものである。
【図１】
0003227946.tif 000003
【図２】
0003227946.tif 000004
【図３】
0003227946.tif 000005
【図４】
0003227946.tif 000006
【図５】
0003227946.tif 000007
【図６】
0003227946.tif 000008
【図７】
0003227946.tif 000009
【図８】
0003227946.tif 000010
【図９】
0003227946.tif 000011
【図１０】
0003227946.tif 000012
【手続補正書】
【提出日】令和2年6月25日(2020.6.25)
【手続補正１】
【補正対象書類名】実用新案登録請求の範囲
【補正対象項目名】全文
【補正方法】変更
【補正の内容】
【実用新案登録請求の範囲】
【請求項１】
導電性ボールであって、
取付ガイド溝を有し且つ一体に形成される取付本体と、前記取付本体に係合される導電性載置部材と、前記取付本体の外側面に貼り付けられる発熱フィルムと、前記取付本体の外側を嵌合する球形外側ケーシングとを備え、前記導電性載置部材は、絶縁載置部材と、前記絶縁載置部材に取付けられ且つ互いに間隔をあけて配置される複数の電気リードアウトピースとを備え、前記絶縁載置部材は前記取付本体に係合するように配置され、前記電気リードアウトピースは、前記取付ガイド溝に突出するように延びる電気接触部を備え、前記電気リードアウトピースは、前記発熱フィルムに電気的に接続され、前記球形外側ケーシングの外側面は、プラスチック層で覆われている、ことを特徴とする導電性ボール。
【請求項２】
前記絶縁載置部材は、前記取付ガイド溝内に配置され、前記絶縁載置部材の両端部は、前記取付本体にクランプされる、ことを特徴とする請求項１に記載の導電性ボール。
【請求項３】
前記絶縁載置部材は、弧状の取付部と、弧状の取付部の両端部より外側に湾曲するように延びる第１係合部，第２係合部とを備え、前記取付本体には、前記第１係合部が係合するための第１係合相手部と、前記第２係合部が係合するための第２係合相手部とが設けられ、前記第１係合相手部と前記第２係合相手部とは、前記取付ガイド溝に連通され、前記弧状の取付部は、前記取付ガイド溝内に配置され且つ前記取付本体の内壁に密着し、前記第１係合部が前記第１係合相手部に挿入され、前記第２係合部が前記第２係合相手部に係合される、ことを特徴とする請求項１に記載の導電性ボール。
【請求項４】
前記電気リードアウトピースは、互いに電気的に接続される電気接続部材と、電気取付接触部材と、電気取付接続部材と、電気接触部材とを備え、前記電気接続部材が前記第１係合部に内設され、前記電気接続部材の一端の端部が前記第１係合部に突出し、前記電気取付接触部材が前記弧状の取付部の側壁に密着し且つ前記取付ガイド溝に突出し、前記電気取付接続部材が前記弧状の取付部に内設され、前記電気接触部材が前記弧状の取付部の外側に突出し、前記電気取付接触部材と前記電気接触部材とが対向して配置され、前記電気取付接触部材と前記電気接触部材とが前記電気接触部を形成する、ことを特徴とする請求項３に記載の導電性ボール。
【請求項５】
前記電気接触部材は、弧状の接触部と、前記弧状の接触部に電気的に接続され且つ外側に湾曲するように延びる位置決め部とを備え、前記取付本体には、前記取付ガイド溝に連通される位置決め可動溝が設けられ、前記弧状の接触部と前記電気取付接続部材とが電気的に接続され、前記弧状の接触部と前記電気取付接触部材とが対向して配置され、前記位置決め部が前記位置決め可動溝内に配置される、ことを特徴とする請求項４に記載の導電性ボール。
【請求項６】
前記弧状の取付部の外側面が外側に突出して突出部を形成し、前記取付本体には、前記突出部が係合するための第３係合相手部が設けられ、前記第３係合相手部と前記取付ガイド溝とが連通され、前記突出部が前記第３係合相手部に挿入される、ことを特徴とする請求項３に記載の導電性ボール。
【請求項７】
前記取付本体は円球体形状であり、前記第１係合相手部は貫通孔構造であり、前記第２係合相手部は溝構造であり、前記弧状の取付部は、前記取付本体の径方向に沿って外側に向かって延び、且つ前記取付本体の周方向に沿って前記第１係合部を形成し、前記第１係合部の外側面は孤形湾曲面であり、前記第１係合部の外側面と前記取付本体の外側面とは面形状が揃えるように配置され、前記第１係合部は収容空間を囲み、前記取付本体では、前記第１係合相手部に突出するように当接部材が設けられ、前記当接部材は、前記第１係合部の収容空間内に設置され、且つ前記第１係合部の端部と前記当接部材とが当接する、ことを特徴とする請求項３に記載の導電性ボール。
【請求項８】
前記取付本体の頂部に係合される蓋部材をさらに備え、前記取付ガイド溝は、前記取付本体の頂部と底部とを貫通する貫通孔構造であり、前記蓋部材の底部に、前記取付ガイド溝に連通される逃げ溝が設けられ、前記蓋部材の頂部に、前記蓋部材と同軸に配置される突出ロッドが設けられ、前記発熱フィルムに貫通孔が設けられ、前記突出ロッドが前記貫通孔を貫通し、前記蓋部材の外側壁に複数の上側挿入ロッドが設けられ、すべての前記上側挿入ロッドは、前記突出ロッドの中心線に沿って前記蓋部材に円形状に配置され、前記球形外側ケーシングは、半球形且つ互いに係合して固定される上部シェルと下部シェルとを備え、前記上部シェルの頂部に貫通嵌合孔が設けられ、前記上部シェルは、前記取付本体の上部を嵌合し、且つ前記蓋部材の突出ロッドが前記貫通嵌合孔に挿入され、前記下部シェルが前記取付本体の下部を嵌合し、前記上部シェルには複数の貫通孔が設けられ、前記上側挿入ロッドは、前記上部シェルの前記貫通孔に挿入される、ことを特徴とする請求項１に記載の導電性ボール。
【請求項９】
前記取付本体の下端部の外側壁に複数の下側挿入ロッドが設けられ、すべての前記下側挿入ロッドが前記取付本体のガイド貫通孔の中心線に沿って前記取付本体に円形状に配置され、前記下部シェルに複数の貫通孔が設けられ、前記下側挿入ロッドが前記下部シェルの前記貫通孔に対応して挿入される、ことを特徴とする請求項８に記載の導電性ボール。
【請求項１０】
前記発熱フィルムは、中央接続部と複数の発熱瓣状部材とを備え、前記発熱瓣状部材の一端は前記中央接続部に接続され、前記発熱瓣状部材の他端は、前記中央接続部を離れるように延びて設けられ、前記貫通孔は前記中央接続部に設けられ、前記発熱瓣状部材が前記中央接続部の周方向に沿って配置され、隣接する２つの前記発熱瓣状部材が等間隔に配置される、ことを特徴とする請求項８に記載の導電性ボール。